(57)【特許請求の範囲】
【請求項１】
略水平方向に回転軸を有する回転ドラムと、この回転ドラムを外包した外槽と、前記回転ドラムを回転させるモータと、洗剤を投入する洗剤ケースと、この洗剤ケースと給水弁とを連通する連結管とを備え、前記洗剤ケースは、洗剤を溶かす水を吐出するノズル部と、洗剤等を収容し着脱自在に設けた洗剤入れと、この洗剤入れを前記ノズル部と共に収納する収納ケースとを有し、前記ノズル部には、シャワー状に水を吐出する多数の吐出口と下方に散水板を有する吐出口兼空気流入口とが設けられ、前記吐出口兼空気流入口の口径を、前記吐出口の口径より大きくすることにより表面張力による水膜で閉塞しない大きさとし、前記吐出口兼空気流入口と前記散水板との距離を表面張力による水膜で閉塞しない距離としたドラム式洗濯機。
【請求項２】
収納ケースの底部に延設し連通管に接続する筒状の取付部と、この筒状の取付部とノズル部との間を連通する昇水流路部とを備え、前記昇水流路部の底部に収納ケース外につながる透口を設けた請求項１記載のドラム式洗濯機。
【請求項３】
ノズル部は、円筒部を有する複数の吐出口を有し、この円筒部相互間を接続するリブを設けた請求項１または２に記載のドラム式洗濯機。
【発明の詳細な説明】
【０００１】
【発明の属する技術分野】
本発明は、略水平方向の回転軸を中心に回転自在に配設した回転ドラム内で洗濯物を洗濯、すすぎ、脱水するドラム式洗濯機に関するものである。
【０００２】
【従来の技術】
従来、この種のドラム式洗濯機は図４に示すように構成していた。以下、その構成について説明する。
【０００３】
図４に示すように、回転ドラム１は、外周部に多数の通水孔２を全面に設け、外槽３内に回転自在に配設している。回転ドラム１の回転中心に回転軸４の一端を略水平方向に固定し、回転軸４の他端にドラムプーリー５を固定している。モータ６は、ベルト７によりドラムプーリー５と連結し、ドラム１を回転駆動する。
【０００４】
外槽３は、ボデー８よりばね体９で揺動可能に吊り下げ、防振ダンパー１０により脱水起動時の振動が低減され、定常脱水時の振動がボデー８に伝達されないように防振支持するとともに、脱水時の振動を低減するバランサー１１を設けている。略筒状のパッキング部材１２は、回転ドラム１の前面開口部に対応する外槽３の開口部とボデー８の前面開口部との間を連結するものである。ボデー８の前面開口部に窓１３を開閉自在に設けている。
【０００５】
洗剤ケース１４は、洗剤を投入するもので、水道栓に接続する給水弁１５に連通管１６を通して接続し、図５に示すように、洗剤ケース１４の上部を形成し洗剤を溶かす水を吐出するノズル部１７と、洗剤等を収容し着脱自在に設けた洗剤入れ１８と、洗剤ケース１４の下部を形成し洗剤入れ１８を収納する収納ケース１９とで構成している。ノズル部１７には、シャワー状に水を吐出する多数の吐出口２０を設けるとともに、下方に散水板２１を有する吐出口２２を設けている。
【０００６】
収納ケース１９の後方底部に筒状の取付部２３を延設し、この筒状の取付部２３に連通管１６を接続し、筒状の取付部２３とノズル部１７との間を昇水流路部２４により連通している。昇水流路部２４の底部に収納ケース１９外につながる透口２５を設けている。収納ケース１９の底部には、逆流防止機構を有する管２６により外槽３内と連通状態に連結されている。
【０００７】
制御装置（図示せず）は、モータ６、給水弁１５などの動作を制御し、洗濯、すすぎ、脱水などの一連の行程を逐次制御する。
【０００８】
上記構成において動作を説明すると、窓１３を開いて回転ドラム１内に洗濯物を投入し、洗剤ケース１４内に洗剤をいれて運転を開始すると、水は、水道栓と接続する給水弁１５から連通する連結管１６を経て、昇水流路部２４、ノズル部１７へと流れ、洗剤を収容する洗剤入れ１８にシャワー状に吐出される。この水により洗剤は逆流防止機構を有する管２６を経て外槽３内に流入する。
【０００９】
洗濯行程では、回転ドラム１はモータ６によって低速（約５３ｒｐｍ）にて回転駆動され、回転ドラム１内の洗濯物は持ち上げられて水面上に落下される。こうして洗濯行程が進行する。すすぎ行程においても洗濯行程と同様の動作を行う。
【００１０】
脱水行程では、モータ６により回転ドラム１は高速（約１０００ｒｐｍ）で回転駆動され、洗濯物は遠心脱水される。このとき、回転ドラム１内の洗濯物の片寄り、すなわちアンバランスが生じると、回転ドラム１、外槽３などの揺動体は振動（揺動）するが、脱水起動時は防振ダンパー１０により揺動体の振動を減衰し、定常脱水時は防振ダンパー１０の防振機構によりボデー８に伝達されることはない。
【００１１】
また、外槽３の開口部とボデー８の前面開口部との間を略筒状のパッキング部材１２により連結しているが、揺動体の揺動により略筒状のパッキング部材１２がたわむことにより、略筒状のパッキング部材１２を通してボデー８に振動が伝達されることはない。
【００１２】
【発明が解決しようとする課題】
このような従来の構成では、洗剤投入時に、給水弁１５を開くことにより連通管１６を通して洗剤ケース１４内に入った水は、昇水流路部２４を通ってノズル部１７の吐出口２０よりシャワー状に吐出されるが、洗剤投入が終了して給水弁１５を閉じると、ノズル部１７の吐出口２０は、水の表面張力による水膜により閉塞され、ノズル部１７内に残水した状態になる。
【００１３】
この状態で、脱水行程終了後、窓１３を開けて衣類を取り出す際の負圧や振動により、ノズル部１７の吐出口２０を閉塞している水膜が壊れて滴下し、外槽３内に流入し脱水した衣類を濡らす恐れがあった。また、窓１３を開けていた場合には、滴下した水が窓１３を伝わり床面に滴下する恐れもあった。この現象は初期状態より水垢の付着した長期使用後のものに多く発生が見られる。
【００１４】
また、ノズル部１７の吐出口２０の表面張力による水膜を壊すために、吐出口２０の口径を大きくし、空気を取り入れることが考えられるが、水道の水圧が低いところでは、口径の大きい吐出口２０からのみ水がでて洗剤を完全に流しきれないことが発生する恐れがあった。
【００１５】
これを防止すために、散水板２１を有する大きな口径の吐出口２２を設けているが、この散水板２１と吐出口２２との隙間に表面張力による水膜がはると、吐出口２２よりノズル部１７内への空気の流入がなくなり、ノズル部１７内の残水を除去することができず、上記と同様の現象が発生する恐れがあった。
【００１６】
また、給水弁１５から出た水は、連結管１６を経て洗剤ケース１４に流入するが、洗剤投入が終了して給水弁が閉じると、連結管１６および昇水流路部２４内の残水は、初期状態では、昇水流路部２４の底部に設けた透口２５から洗剤ケース１４の下部を形成する収納ケース１９の底部を伝い、逆流防止機構を有する管２６を経て外槽３内に流入する。しかし、透口２５に表面張力による水膜がはると、連結管１６および昇水流路部２４内の水は流出されることなく残水し、上記と同様の現象が発生する恐れがあった。
【００１７】
さらに、周囲温度が氷点下になった場合、ノズル部１７や昇水流路部２４内に残水した水は凍結し、給水弁１５と外槽３の連通状態を阻害して、運転開始時の水注入を阻害する恐れがあった。
【００１８】
本発明は上記従来の課題を解決するもので、表面張力による水膜に起因する残水が洗剤ケース内に残るのを防止し、脱水後の衣類や床面への水の滴下を防止することを目的としている。
【００１９】
【課題を解決するための手段】
本発明は上記目的を達成するために、略水平方向に回転軸を有し外槽により外包した回転ドラムをモータにより回転させ、連結管により給水弁と連通する洗剤ケースより洗剤を投入する。洗剤ケースは、洗剤を溶かす水を吐出するノズル部と、洗剤等を収容し着脱自在に設けた洗剤入れと、この洗剤入れをノズル部と共に収納する収納ケースとを有し、前記ノズル部には、シャワー状に水を吐出する多数の吐出口と下方に散水板を有する吐出口兼空気流入口とが設けられ、前記吐出口兼空気流入口の口径を、前記吐出口の口径より大きくすることにより表面張力による水膜で閉塞しない大きさとし、前記吐出口兼空気流入口と前記散水板との距離を表面張力による水膜で閉塞しない距離としたものである。
【００２０】
これにより、表面張力による水膜に起因する残水が洗剤ケース内に残るのを防止することができ、脱水後の衣類や床面への水の滴下を防止することができる。
【００２１】
【発明の実施の形態】
本発明の請求項１に記載の発明は、略水平方向に回転軸を有する回転ドラムと、この回転ドラムを外包した外槽と、前記回転ドラムを回転させるモータと、洗剤を投入する洗剤ケースと、この洗剤ケースと給水弁とを連通する連結管とを備え、前記洗剤ケースは、洗剤を溶かす水を吐出するノズル部と、洗剤等を収容し着脱自在に設けた洗剤入れと、この洗剤入れを前記ノズル部と共に収納する収納ケースとを有し、前記ノズル部には、シャワー状に水を吐出する多数の吐出口と下方に散水板を有する吐出口兼空気流入口とが設けられ、前記吐出口兼空気流入口の口径を、前記吐出口の口径より大きくすることにより表面張力による水膜で閉塞しない大きさとし、前記吐出口兼空気流入口と前記散水板との距離を表面張力による水膜で閉塞しない距離としたものであり、洗剤投入が終了すると、吐出口兼空気流入口は表面張力による水膜で閉塞していないため、ノズル部内に空気を流入させることができてノズル部内の水を流出することができ、ノズル部内に表面張力による水膜に起因して残水するのを防止することができ、脱水後の衣類や床面への水の滴下を防止することができる。
【００２２】
請求項２に記載の発明は、請求項１に記載の発明において、収納ケースの底部に延設し連通管に接続する筒状の取付部と、この筒状の取付部とノズル部との間を連通する昇水流路部とを備え、前記昇水流路部の底部に収納ケース外につながる透口を設けたものであり、洗剤投入が終了すると、吐出口兼空気流入口は表面張力による水膜で閉塞していないため、昇水流路部内に空気を流入させることができて昇水流路部と連通管内の水を透口より流出することができ、昇水流路部内に表面張力による水膜に起因して残水するのを防止することができ、脱水後の衣類や床面への水の滴下を防止することができる。
【００２３】
請求項３に記載の発明は、請求項１または２に記載の発明において、ノズル部は、円筒部を有する複数の吐出口を有し、この円筒部相互間を接続するリブを設けたものであり、洗剤投入が終了したとき、ノズル部の吐出口より出てきた水は、リブに沿って徐々に広がって滴下することができ、ノズル部内の残水を防止することができ、脱水後の衣類や床面への水の滴下を防止することができる。
【００２４】
【実施例】
以下、本発明の実施例について、図面を参照しながら説明する。なお、従来例と同じ構成のものは同一符号を付して説明を省略する。
【００２５】
（実施例１）
図３に示すように、洗剤ケース２７は、洗剤を投入するもので、水道栓に接続する給水弁１５に連通管１６を通して接続し、図１および図２に示すように構成している。ノズル部２８は、洗剤ケース２７の上部を形成し、洗剤を溶かす水を吐出するもので、ノズル部２８の下部に洗剤等を収容した洗剤入れ２９を着脱自在に設けている。収納ケース３０は洗剤ケース２７の下部を形成し、洗剤入れ２９を収納する。
【００２６】
ノズル部２８には、シャワー状に水を吐出する多数の吐出口３１を設け、この吐出口３１は、円筒部３２を有し、この円筒部３２と同じ高さで円筒部３２を接続するリブ３３を設けている。また、ノズル部２８には、下方に散水板３４を有する吐出口兼空気流入口３５を設け、この吐出口兼空気流入口３５を表面張力による水膜で閉塞しないように、散水板３４と吐出口兼空気流入口３５との間隔、および吐出口兼空気流入口３５の口径を設定している。本実施例では、吐出口兼空気流入口３５の口径は直径６ｍｍ、散水板３４との隙間は３ｍｍとしている。
【００２７】
収納ケース３０の底部に連通管１６に接続する筒状の取付部３６を延設し、この筒状の取付部３６とノズル部２８との間を昇水流路部３７により連通し、昇水流路部３７の底部に収納ケース３０外につながる透口３８を設けている。この透口３８の口径は直径３ｍｍ以上とし、ノズル部２８の各流路の流量分布を調整する。昇水流路部３７とノズル部２８の接続部３９は隆起させている。なお、４０はソフナー投入部、４１は漂白剤投入部である。他の構成は従来例と同じである。
【００２８】
上記構成において動作を説明すると、窓１３を開いて回転ドラム１内に洗濯物を投入し、洗剤ケース２７内に洗剤をいれて運転を開始すると、水は、水道栓と接続する給水弁１５から連通する連結管１６を経て、昇水流路部３７、洗剤ケース２７の上部を形成するノズル部２８へと流れ、洗剤を収容する洗剤入れ２９に吐出される。この水により洗剤は逆流防止機構を有する管２６を経て外槽３内に流入する。
【００２９】
洗濯行程では、回転ドラム１はモータ６によって低速（約５３ｒｐｍ）で回転駆動され、回転ドラム１内の洗濯物は持ち上げられて水面上に落下される。こうして洗濯行程が進行する。すすぎ行程においても洗濯行程と同様の動作を行う。
【００３０】
脱水行程では、回転ドラム１はモータ６により高速（約１０００ｒｐｍ）で回転駆動され、洗濯物は遠心脱水される。このとき、回転ドラム１内の洗濯物の片寄り、すなわちアンバランスが生じると、回転ドラム１、外槽３などの揺動体は振動（揺動）するが、脱水起動時は防振ダンパー１０により揺動体の振動を減衰し、定常脱水時は防振ダンパー１０の防振機構によりボデー８に伝達されることはない。また、外槽３の開口部とボデー８の前面開口部との間を略筒状のパッキング部材１２により連結しているが、揺動体の揺動により略筒状のパッキング部材１２がたわむことにより、略筒状のパッキング部材１２を通してボデー８に振動が伝達されることはない。
【００３１】
また、洗剤投入時に洗剤を流入する水は、洗剤投入が終了すると、洗剤ケース２７の上部を形成するノズル部２８の各流路内に充満するが、ノズル部２８には、下方に散水板３４を有する吐出口兼空気流入口３５を設け、この吐出口兼空気流入口３５を表面張力による水膜で閉塞しないように、散水板３４と吐出口兼空気流入口３５との間隔、および吐出口兼空気流入口３５の口径を設定しているので、長時間使用後においても（例えば、４００ｋｌ通水後）、水垢付着による流路表面の撥水性低下があっても、吐出口兼空気流入口３５からノズル部２８内への空気流入の阻害が起こることなく、ノズル部２８内の水を流出することができ、ノズル部２８内に表面張力による水膜に起因して残水するのを防止することができ、脱水後の衣類や床面への水の滴下を防止することができる。
【００３２】
また、収納ケース３０の底部に連通管１６に接続する筒状の取付部３６を延設し、この筒状の取付部３６とノズル部２８との間を昇水流路部３７により連通し、昇水流路部３７の底部に収納ケース３０外につながる透口３８を設けているので、洗剤投入が終了すると、吐出口兼空気流入口３５は表面張力による水膜で閉塞していないため、連通管１６および昇水流路部３７内に空気を流入させることができて、連通管１６および昇水流路部３７内の水を透口３８より流出することができ、表面張力による水膜に起因して残水するのを防止することができ、脱水後の衣類や床面への水の滴下を防止することができる。
【００３３】
また、ノズル部２８の吐出口３１は、円筒部３２を有し、この円筒部３２と同じ高さで円筒部３２を接続するリブ３３を設けているので、洗剤投入が終了したとき、ノズル部２８の吐出口３１より出てきた水は、リブ３３に沿って徐々に広がって、ノズル部２８内の水の引き込みが大きくなり、滴下することができ、ノズル部２８内の残水を防止することができ、脱水後の衣類や床面への水の滴下を防止することができる。
【００３４】
さらに、周囲温度が氷点下になった場合でも、ノズル部２８や連通管１６および昇水流路部３７内に残水がないため、凍結が防止でき、給水弁１５と外槽３の連通状態を確保することができる。
【００３５】
（実施例２）
図１におけるノズル部２８は、各流路の内面にフッ素コーティング等の撥水処理を施している。他の構成は上記実施例１と同じである。
【００３６】
上記構成において作用を説明すると、ノズル部２８の各流路の内面に撥水処理を施すことにより、長期使用後においても（例えば、４００ｋｌ通水後）、水垢の付着による流路表面の水との親和力の増加を防止することができ、洗剤投入が終了したとき、ノズル部２８の吐出口３１より容易に流れ出ることができ、ノズル部２８内の残水を防止することができ、脱水後の衣類や床面への水の滴下を防止することができる。また、昇水流路部３７での水の落下流速の低下が防止され、透口３８での水膜発生が防止でき、連通管１６および昇水流路部３７内の水の残水が防止でき、衣類や床面を濡らすことを防止することができる。
【００３７】
【発明の効果】
以上のように本発明の請求項１に記載の発明によれば、略水平方向に回転軸を有する回転ドラムと、この回転ドラムを外包した外槽と、前記回転ドラムを回転させるモータと、洗剤を投入する洗剤ケースと、この洗剤ケースと給水弁とを連通する連結管とを備え、前記洗剤ケースは、洗剤を溶かす水を吐出するノズル部と、洗剤等を収容し着脱自在に設けた洗剤入れと、この洗剤入れを前記ノズル部と共に収納する収納ケースとを有し、前記ノズル部には、シャワー状に水を吐出する多数の吐出口と下方に散水板を有する吐出口兼空気流入口とが設けられ、前記吐出口兼空気流入口の口径を、前記吐出口の口径より大きくすることにより表面張力による水膜で閉塞しない大きさとし、前記吐出口兼空気流入口と前記散水板との距離を表面張力による水膜で閉塞しない距離としたから、洗剤投入が終了すると、吐出口兼空気流入口からノズル部内に空気を流入させることができて、ノズル部内の水を流出することができ、ノズル部内に表面張力による水膜に起因して残水するのを防止することができ、脱水後の衣類や床面への水の滴下を防止することができる。
【００３８】
また、請求項２に記載の発明によれば、収納ケースの底部に延設し連通管に接続する筒状の取付部と、この筒状の取付部とノズル部との間を連通する昇水流路部とを備え、前記昇水流路部の底部に収納ケース外につながる透口を設けたから、洗剤投入が終了すると、吐出口兼空気流入口から昇水流路部内に空気を流入させることができて、昇水流路部と連通管内の水を透口より流出することができ、昇水流路部内に表面張力による水膜に起因して残水するのを防止することができ、脱水後の衣類や床面への水の滴下を防止することができる。
【００３９】
また、請求項３に記載の発明によれば、ノズル部は、円筒部を有する複数の吐出口を有し、この円筒部相互間を接続するリブを設けたから、洗剤投入が終了したとき、ノズル部の吐出口より出てきた水は、リブに沿って徐々に広がって滴下することができ、ノズル部内の残水を防止することができ、脱水後の衣類や床面への水の滴下を防止することができる。
【図面の簡単な説明】
【図１】  本発明の第１の実施例のドラム式洗濯機の洗剤ケースの断面図
【図２】  同ドラム式洗濯機の洗剤ケースの上面図
【図３】  同ドラム式洗濯機の断面図
【図４】  従来のドラム式洗濯機の断面図
【図５】  同ドラム式洗濯機の洗剤ケースの断面図
【符号の説明】
１  回転ドラム
３  外槽
４  回転軸
６  モータ
１５  給水弁
１６  連結管
２７  洗剤ケース
２８  ノズル部
２９  洗剤入れ
３０  収納ケース
３４  散水板
３５  吐出口兼空気流入口
【図１】
0003965752.tif 000002
【図２】
0003965752.tif 000003
【図３】
0003965752.tif 000004
【図４】
0003965752.tif 000005
【図５】
0003965752.tif 000006